(57)【要約】      （修正有）【課題】低コスト化を図ることができる散水具を提供する。【解決手段】散水具本体を内蔵部品と前方導水部品１３とハンドル構成部品１４で構成する。ハンドル構成部品１４の上部被覆部に一対の挿入穴６１を設け、上部被覆部を前方導水部品１３の基端部に外嵌した状態で、挿入穴６１に連通する挿通穴７１を前方導水部品１３の基端部に設ける。この基端部が外嵌した内蔵部品の筒部２３に挿通穴７１に連通する係止溝８１を形成する。固定リング９１より延出した一対の係止片１０３を挿入穴６１及び挿通穴７１を介して係止溝８１に係止し、ハンドル構成部品１４と前方導水部品１３と内蔵部品を固定する。【選択図】図２
0003147710.tif 000002
【実用新案登録請求の範囲】
【請求項１】
散水具本体を構成する前方導水部品と、内蔵部品と、前記前方導水部品及び前記内蔵部品の外側に設けられた外側部品とを備えた散水具であって、
前記前方導水部品と前記内蔵部品とに重なる前記外側部品の重合部分に固定リングの係止片を挿通して前記外側部品と前記内蔵部品と前記前方導水部品とを固定したことを特徴とする散水具。
【請求項２】
散水具本体が、
供給水を通流する胴部の上端部に筒部が設けられた内蔵部品と、
該内蔵部品の前記筒部に前端側より装着され前記供給水を前方へ案内する前方導水部品と、
前記筒部に外嵌した前記前方導水部品の基端部に後端側より外嵌する上部被覆部及び前記胴部を覆う下部被覆部を備えたハンドル構成部品と、
によって構成された散水具であって、
前記ハンドル構成部品の前記上部被覆部に一対の挿入穴を設け、当該上部被覆部を前記前方導水部品の前記基端部に外嵌した状態で前記挿入穴に連通する挿通穴を当該基端部に設けるとともに、前記前方導水部品の前記基端部が外嵌した前記内蔵部品の前記筒部に前記挿通穴に連通する係止溝を形成し、
固定リングより延出した一対の係止片を前記挿入穴及び前記挿通穴を介して前記係止溝に係止して前記ハンドル構成部品と前記前方導水部品と前記内蔵部品とを固定したことを特徴とする散水具。
【請求項３】
前記前方導水部品に係止爪を設ける一方、
当該前方導水部品に外嵌する筒状部品に、当該筒状部品を前記前方導水部品に前端側から装着した状態で前記係止爪と係合する被係合部を設けたことを特徴とする請求項２記載の散水具。
【考案の詳細な説明】
【技術分野】
【０００１】
本考案は、植木や草花への散水や洗車時などに用いられる散水具に関する。
【背景技術】
【０００２】
従来、植木や草花へ散水したり洗車をする際には、散水具が用いられていた。
【０００３】
この散水具の散水具本体には、握持用のハンドルが設けられており、該ハンドルには、操作用のレバーが設けられている。該レバーは、弁機構に連結されており、該弁機構は、通流口を弁体で開閉するように構成されている。
【０００４】
これにより、前記レバーを操作して前記弁機構の前記弁体で前記通流口を開閉することにより、給水路から供給された水を前記通流口を介して、前記ハンドル上部より前方へ向けて延出した延出部先端の散水部から散水できるように構成されている。
【考案の開示】
【考案が解決しようとする課題】
【０００５】
しかしながら、このような散水具にあっては、前記散水具本体を構成する前記ハンドルや前記延出部等の構成部品が溶着によって接続固定されており、組立時には溶着作業が必要となる。
【０００６】
これにより、製造コストがかかるという問題があった。
【０００７】
本考案は、このような従来の課題に鑑みてなされたものであり、低コスト化を図ることができる散水具を提供することを目的とするものである。
【課題を解決するための手段】
【０００８】
前記課題を解決するために本考案の請求項１の散水具においては、散水具本体を構成する前方導水部品と、内蔵部品と、前記前方導水部品及び前記内蔵部品の外側に設けられた外側部品とを備えた散水具であって、前記前方導水部品と前記内蔵部品とに重なる前記外側部品の重合部分に固定リングの係止片を挿通して前記外側部品と前記内蔵部品と前記前方導水部品とを固定した。
【０００９】
すなわち、散水具本体を組み立てる際には、前記前方導水部品及び前記内蔵部品の外側に外側部品を配設するとともに、前記前方導水部品及び前記内蔵部品に重なる前記外側部品の重合部分に固定リングの係止片を挿通することによって、前記前方導水部品と前記外側部品と前記内蔵部品と前記固定リングで固定することができる。
【００１０】
また、本考案の請求項２の散水具においては、散水具本体が、供給水を通流する胴部の上端部に筒部が設けられた内蔵部品と、該内蔵部品の前記筒部に前端側より装着され前記供給水を前方へ案内する前方導水部品と、前記筒部に外嵌した前記前方導水部品の基端部に後端側より外嵌する上部被覆部及び前記胴部を覆う下部被覆部を備えたハンドル構成部品と、によって構成された散水具であって、前記ハンドル構成部品の前記上部被覆部に一対の挿入穴を設け、当該上部被覆部を前記前方導水部品の前記基端部に外嵌した状態で前記挿入穴に連通する挿通穴を当該基端部に設けるとともに、前記前方導水部品の前記基端部が外嵌した前記内蔵部品の前記筒部に前記挿通穴に連通する係止溝を形成し、固定リングより延出した一対の係止片を前記挿入穴及び前記挿通穴を介して前記係止溝に係止して前記ハンドル構成部品と前記前方導水部品と前記内蔵部品とを固定した。
【００１１】
すなわち、散水具本体を組み立てる際には、内蔵部品の上端部に設けられた筒部に、その前端側より前方導水部品の基端部を外嵌して装着した後に、前記筒部に外嵌した前記前方導水部品の前記基端部に、その後端側よりハンドル構成部品の上部被覆部を外嵌する。
【００１２】
このとき、前記ハンドル構成部品の前記上部被覆部には、一対の挿入穴が設けられており、この上部被覆部が外嵌する前記前方導水部品の前記基端部には、前記挿入穴に連通する挿通穴が開設されている。また、前記前方導水部品の前記基端部が外嵌した前記内蔵部品の前記筒部には、前記挿通穴に連通する係止溝が形成されている。
【００１３】
このため、固定リングより延出した係止片を、外側に配置された前記ハンドル構成部品の前記挿入穴に挿入すると、当該係止片は、前記挿入穴を介して、その内側に設けられた前記前方導水部品の前記挿通穴を挿通するとともに、さらにその内側に設けられた前記内蔵部品における前記筒部の係止溝に係止される。
【００１４】
これにより、前記ハンドル構成部品と前記前方導水部品と前記内蔵部品とは、前記固定リングの前記係止片によって固定される。
【００１５】
また、請求項３の散水具にでは、前記前方導水部品に係止爪を設ける一方、当該前方導水部品に外嵌する筒状部品に、当該筒状部品を前記前方導水部品に前端側から装着した状態で前記係止爪と係合する被係合部を設けた。
【００１６】
すなわち、前記散水具本体は、前記前方導水部品に外嵌する筒状部品を備えており、前記前方導水部品には係止爪が設けられる一方、前記筒状部品には前記係止爪と係合する被係合部が設けられている。
【００１７】
このため、前記筒状部品を、前記前方導水部品の前端側から装着した際には、前記係止爪が前記被係合部に係合することによって、当該筒状部品は、前記前方導水部品に固定される。
【考案の効果】
【００１８】
以上説明したように、本発明の請求項１の散水具にあっては、前記前方導水部品及び前記内蔵部品の外側に前記外側部品を配設した状態で、前記前方導水部品及び前記内蔵部品に重なる前記外側部品の重合部分に固定リングの係止片を挿通するだけで、前記前方導水部品と前記内蔵部品と前記外側部品と前記固定リングで固定して散水具本体を組み立てることができる。
【００１９】
このため、前記散水具本体を構成する各部品を溶着して固定しなければならなかった従来と比較して、溶着作業が不要となり、製造コストを抑えることができる。
【００２０】
また、前記散水具本体を構成する各部品を溶着して固定する従来では、その固定精度にバラツキが出やすく、剛性にバラツキが生じ易かった。
【００２１】
しかし、この散水具においては、手間をかけずに、従来と同等レベルの強度で製造できる。
【００２２】
また、本発明の請求項２の散水具にあっては、前記固定リングの係止片を、外側に配置された前記ハンドル構成部品の前記挿入穴に挿入することによって、当該係止片を、内側に設けられた前記前方導水部品の前記挿通穴を挿通して、さらにその内側に設けられた前記内蔵部品における前記筒部の係止溝に係止することができる。これにより、前記ハンドル構成部品と前記前方導水部品と前記内蔵部品とを固定することができる。
【００２３】
このように、前記固定リングの前記係止片を外側から前記各部品へ挿入するだけで、前記ハンドル構成部品と前記前方導水部品と前記内蔵部品とを固定して散水具本体を組み立てることができる。
【００２４】
このため、前記散水具本体を構成する各部品を溶着して固定しなければならなかった従来と比較して、溶着作業が不要となり、製造コストを抑えることができる。
【００２５】
また、前記固定リングの係止片を挿入するだけで、前記各部品を固定して散水具本体を形成できるため、組立作業性の向上も図ることができる。
【００２６】
また、請求項３の散水具では、前記筒状部品を前記前方導水部品の前端側から装着するだけで、該前方導水部品の係止爪が前記筒状部品の被係合部に係合され、当該筒状部品を前記前方導水部品に固定することができる。
【００２７】
このため、前記筒状部品と前記前方導水部品とを溶着しなければならなかった従来と比較して、溶着作業が不要となり、製造コストを抑えることができるとともに、組立作業性を向上することもできる。
【考案を実施するための最良の形態】
【００２８】
以下、本考案の一実施の形態を図に従って説明する。
【００２９】
図１から図６は、本実施の形態にかかる散水具１を示す図であり、該散水具１は、植木や草花へ散水したり洗車をする際に用いられるものである。
【００３０】
この散水具１の散水具本体１１は、図１及び図２に示したように、内蔵部品１２と、前方導水部品１３と、外側部品を構成するハンドル構成部品１４とを備えている。
【００３１】
前記内蔵部品１２は、図２に示したように、下端部にホース接続部２１が設けられた筒状の胴部２２と、該胴部２２の上端部に設けられた筒部２３とによって一体形成されており、前記ホース接続部２１に接続されたホースからの供給水は、前記胴部２２を通流して前記筒部２３に供給されるように構成されている。前記胴部２２の上端部より前方へ延出した支持片２４には、レバー２５が支持されており、レバー操作時には、前記胴部２２内に設けられた弁機構を開閉操作できるように構成されている。
【００３２】
これにより、前記レバー２５を握持して操作することによって、前記弁機構を開作動して前記ホース接続部２１から前記胴部２２に供給された供給水を前記筒部２３に供給できるように構成されている。
【００３３】
前記前方導水部品１３は、先細り形状の円筒状に形成されており、図１に示したように、基端側には、外周方向へ延出した鍔部３１が一体形成されている。該鍔部３１より基端側の基端部３２は、前記内蔵部品１２の前記筒部２３より大径の内径寸法に設定されており、当該基端部３２を前記筒部２３の前端側から装着した状態で当該基端部３２を前記筒部２３に外嵌して接続できるように構成されている。
【００３４】
この接続状態において、前記前方導水部品１３は、前記筒部２３と連通するように構成されており、当該前方導水部品１３は、前記筒部２３から供給された供給水を前方へ案内するとともに、図２に示したように、前端部の周面に設けられた給水口４１，・・・から流出できるように構成されている。
【００３５】
前記ハンドル構成部品１４は、図１に示したように、前記筒部２３に外嵌した前記前方導水部品１３の前記基端部３２に後端側から外嵌する上部被覆部５１が上端部に設けられており、該上部被覆部５１は、前記筒部２３に外嵌した前記基端部３２を前記筒部２３の後端部と共に被覆できるように構成されている。また、前記ハンドル構成部品１４には、前記筒部２３より下方に延出した前記内蔵部品１２の前記胴部２２を覆う下部被覆部５２を備えており、該下部被覆部５２が前記胴部２２を覆った状態で、図２に示したように、当該下部被覆部５２の前方に前記レバー２５が露出するとともに、前記ホース接続部２１が下方へ突出するように構成されている。
【００３６】
前記ハンドル構成部品１４の前記上部被覆部５１には、図１に示したように、一対の挿入穴６１，６１が左右側部に開設されており、各挿入穴６１，６１は、前記上部被覆部５１の上面を構成する円弧面６２に形成されている。前記各挿入穴６１，６１は、前記上部被覆部５１の前端側に配置されており、各挿入穴６１，６１は、前記上部被覆部５１の前端に沿って延在する縦長の長方形状に形成されている。
【００３７】
また、この上部被覆部５１が外嵌する前記前方導水部品１３の前記基端部３２には、前記上部被覆部５１が前記基端部３２に外嵌した状態において、前記挿入穴６１，６１に連通する挿通穴７１，７１が左右側部に開設されている。各挿通穴７１，７１は、前記挿入穴６１，６１より縦長の長方形状に形成されており、当該基端部３２に形成された前記鍔部３１に近接して配置されている。
【００３８】
前記前方導水部品１３の前記基端部３２が外嵌する前記内蔵部品１２の前記筒部２３には、該筒部２３に前記基端部３２を外嵌した状態で、前記挿通穴７１，７１に連通する係止溝８１，８１が左右側部に形成されている（一方のみ図示）。各係止溝８１，８１は、前記挿通穴７１，７１に適合した長方形状に形成されており、当該筒部２３に前記基端部３２を外嵌した状態で、前記挿通穴７１，７１と前記係止溝８１，８１とが合致するように配置されている。
【００３９】
これらの各部品１２，１３，１４は、図２及び図３に示したように、固定リング９１によって固定されている。
【００４０】
該固定リング９１は、図４に示したように、下方が切欠された円形リング状のリング部１０１を備えており、該リング部１０１の内縁からは、切欠部１０２へ向けて一対の係止片１０３，１０３が延出している。各係止片１０３，１０３は、前記各挿入穴６１，６１及び前記各挿通穴７１，７１へ挿入可能な断面形状に形成されており、図５に示したように、前記各穴６１，６１、７１，７１を挿通した状態で、前記筒部２３を左右側部から挟持するとともに、当該筒部２３の前記係止溝８１，８１に沿って配置されるように構成されている。
【００４１】
前記係止片１０３，１０３の先端は、当該係止片１０３，１０３を前記係止溝８１，８１に沿って配置した状態で、前記前方導水部品１３の外側に突出するように構成されており、この突出部分には、内側へ向けて突出した突起１１１，１１１が形成されている。
【００４２】
これにより、当該固定リング９１の前記係止片１０３，１０３を前記各穴６１，６１、７１，７１に挿通した状態で、当該固定リング９１の前記リング部１０１が前記前方導水部品１３に形成された鍔部３１に密着して配置されるとともに、前記係止片１０３，１０３先端の前記突起１１１，１１１が前記前方導水部品１３の外周面に係合し、不用意な抜けが防止されるように構成されており、この装着状態において、前記ハンドル構成部品１４と前記前方導水部品１３と前記内蔵部品１２とを固定できるように構成されている。
【００４３】
一方、前記散水具本体１１は、図２に示したように、前記前方導水部品１３に外嵌する筒状部品１２１を備えており、該筒状部品１２１の前端部には、図３に示したように、シャワー面１２２を備えた散水ヘッド１２３が取り付けられるように構成されている。
【００４４】
前記前方導水部品１３には、図６に示したように、前記鍔部３１から複数の圧入壁１３１，・・・が前端へ向けて延出しており、各圧入壁１３１，・・・での外形寸法は、前記筒状部品１２１の内径寸法よりやや大きめに設定されている。これにより、この前方導水部品１３に前記筒状部品１２１を装着する際には、前記圧入壁１３１，・・・が前記筒状部品１２１に軽圧入されるように構成されている。
【００４５】
前記各圧入壁１３１，・・・は、前端に設けられた連設壁１４１によって連設されており、該連設壁１４１からは、先端に爪部１４２を備えた一対の係止爪１４３，１４３が前端方向へ向けて延出している。また、前記前方導水部品１３の側面には、一対の回転防止突起１４４，１４４が突設されており（一方のみ図示）、各回転防止突起１４４，１４４は、前記両係止爪１４３，１４３間に配置されている。
【００４６】
この前方導水部品１３に装着される前記筒状部品１２１の基端部には、当該筒状部品１２１を前記前方導水部品１３に前端側から装着した際に、前記回転防止突起１４４，１４４が挿入される対を成す回り止め１５１，・・・が、前記回転防止突起１４４，１４４に対応した位置に突設されているとともに、前記各係止爪１４３，１４３の前記爪部１４２と係合する被係合部１５２，１５２が前記係止爪１４３，１４３に対応した部位に突設されている。
【００４７】
以上の構成にかかる本実施の形態において、前記散水具本体１１を組み立てる際には、内蔵部品１２の上端部に設けられた筒部２３に、その前端側より前方導水部品１３の基端部３２を外嵌して装着した後に、前記筒部２３に外嵌した前記前方導水部品１３の前記基端部３２に、その後端側よりハンドル構成部品１４の上部被覆部５１を外嵌する。
【００４８】
このとき、前記ハンドル構成部品１４の前記上部被覆部５１には、一対の挿入穴６１，６１が設けられており、この上部被覆部５１が外嵌する前記前方導水部品１３の前記基端部３２には、前記挿入穴６１，６１に連通する挿通穴７１，７１が開設されている。また、前記前方導水部品１３の前記基端部３２が外嵌した前記内蔵部品１２の前記筒部２３には、前記挿通穴７１，７１に連通する係止溝８１，８１が形成されている。
【００４９】
このため、固定リング９１より延出した係止片１０３，１０３を、外側に配置された前記ハンドル構成部品１４の前記挿入穴６１，６１に挿入すると、当該係止片１０３，１０３は、前記挿入穴６１，６１を介して、その内側に設けられた前記前方導水部品１３の前記挿通穴７１，７１を挿通するとともに、さらにその内側に設けられた前記内蔵部品１２における前記筒部２３の係止溝８１，８１に係止される。
【００５０】
これにより、前記ハンドル構成部品１４と前記前方導水部品１３と前記内蔵部品１２とは、前記固定リング９１の前記係止片１０３，１０３によって固定される。
【００５１】
このように、前記固定リング９１の前記係止片１０３，１０３を外側から前記各部品１２，１３，１４へ挿入するだけで、前記ハンドル構成部品１４と前記前方導水部品１３と前記内蔵部品１２とを固定して散水具本体１１を組み立てることができる。
【００５２】
このため、前記散水具本体１１を構成する各部品を溶着して固定しなければならなかった従来と比較して、溶着作業が不要となり、製造コストを抑えることができる。
【００５３】
このとき、前記散水具本体を構成する各部品を溶着して固定する従来では、その固定精度にバラツキが出やすく、剛性にバラツキが生じ易かった。
【００５４】
しかし、この散水具１においては、手間をかけずに、従来と同等レベルの強度で製造できる。
【００５５】
また、前記固定リング９１の係止片１０３，１０３を挿入するだけで、前記各部品１２，１３，１４を固定して散水具本体１１を形成できるため、組立作業性の向上も図ることができる。
【００５６】
また、前記散水具本体１１は、前記前方導水部品１３に外嵌する筒状部品１２１を備えており、前記前方導水部品１３には係止爪１４３，１４３が設けられる一方、前記筒状部品１２１には前記係止爪１４３，１４３と係合する被係合部１５２，１５２が設けられている。
【００５７】
このため、前記筒状部品１２１を、前記前方導水部品１３の前端側から装着した際には、前記係止爪１４３，１４３が前記被係合部１５２，１５２に係合することによって、当該筒状部品１２１は、前記前方導水部品１３に固定される。
【００５８】
このように、前記筒状部品１２１を前記前方導水部品１３の前端側から装着するだけで、該前方導水部品１３の係止爪１４３，１４３が前記筒状部品１２１の被係合部１５２，１５２に係合され、当該筒状部品１２１を前記前方導水部品１３に固定することができる。
【００５９】
このため、前記筒状部品１２１と前記前方導水部品１３とを溶着して固定しなければならなかった従来と比較して、溶着作業が不要となり、製造コストを抑えることができるとともに、組立作業性を向上することもできる。
【図面の簡単な説明】
【００６０】
【図１】本考案の一実施の形態の要部を示す分解斜視図である。
【図２】同実施の形態を組立工程を示す説明図である。
【図３】図２に続く組立工程を示す説明図である。
【図４】同実施の形態を組立工程を示す要部を拡大した説明図である。
【図５】同実施の形態を組み立てた状態を示す要部の拡大図である。
【図６】同実施の形態の筒状部品を取り付ける様子を示す説明図である。
【符号の説明】
【００６１】
１    散水具
１１    散水具本体
１２    内蔵部品
１３    前方導水部品
１４    ハンドル構成部品
２２    胴部
２３    筒部
３２    基端部
５１    上部被覆部
５２    下部被覆部
６１    挿入穴
７１    挿通穴
８１    係止溝
９１    固定リング
１０３    係止片
１２１    筒状部品
１４３    係止爪
１５２    被係合部
【図１】
0003147710.tif 000003
【図２】
0003147710.tif 000004
【図３】
0003147710.tif 000005
【図４】
0003147710.tif 000006
【図５】
0003147710.tif 000007
【図６】
0003147710.tif 000008